(57)【要約】【課題】水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、水道水の一部をフィルタを通過させないでバイパス流路を流すことで残留塩素濃度の調整を行うのに、ハウジング内に着脱される筒状の塩素除去フィルタ側でこれを行なうことができるので、塩素除去フィルタをセットする前にその設定を簡単に行うことができ、塩素除去フィルタをセットの作業性を向上させることができる。【解決手段】塩素除去フィルタ１４は上下端部を閉塞する上蓋板３と下蓋板４とを有し、前記上蓋板３に排水筒５に連通する筒状開口１０を形成してバイパス路を確保し、この筒状開口１０に栓体１２を開閉度合いを可変とするように設けた。【選択図】  図１
2017124360.tif 000002
【特許請求の範囲】
【請求項１】
水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、塩素除去フィルタは上下端部を閉塞する上蓋板とした下蓋板とを有し、前記上蓋板に排水筒に連通する開口を形成してバイパス路を確保し、この開口に栓体を開閉度合いを可変とするように設けたことを特徴とする浄水装置用フィルタ。
【請求項２】
開閉度合いを可変とするため開口と栓体とは螺合する請求項１記載の浄水装置用フィルタ。
【請求項３】
栓体内部に円柱形の異物除去フィルタを収容する請求項１または請求項２記載の浄水装置用フィルタ。
【発明の詳細な説明】
【技術分野】
【０００１】
本発明は、給水栓や水道配管等に取り付けて水を濾過する浄水装置（浄水器）に関し、特に、集合住宅や戸建住宅、事業所、学校等の分岐配管の上流やメータボックス、アンダーシンク等の水道配管に取り付け、水をまとめて濾過するために用いられる浄水装置に使用する浄水装置用フィルタに関するものである。
【背景技術】
【０００２】
近年、マンション等の集合住宅や戸建住宅、事業所、学校、幼稚園、動物飼育施設等において、浄水装置は浄水施設からの水道本管と末端の水道機器への分岐配管との間に取り付けて、使用する水をまとめて濾過する手段を採用するケースが増えている。
【０００３】
浄水装置を流し台の給水栓や風呂場用給湯器の注湯口等の末端の水道機器毎に設置しなくて済むため経済的であり、さらに水道機器周辺の空間を有効利用できるからである。
【０００４】
しかし、この場合水道水に含まれる塩素を１００％除去してしまうと、蛇口から出る水道水は０．１ｐｐｍ以上の塩素濃度でなければならないという水道法による基準を遵守できないという問題を有している。
【０００５】
また、水道機器が長期間使用されない場合に、塩素をほとんど含まない水道水が分岐配管内に長時間滞留し、腐食や雑菌の発生等のおそれがあるという問題もある。
【０００６】
下記特許文献１、２は浄水器を通過した水道水の含有塩素量を確保することを目的として提案されたもので、図示は省略するが、特許文献１には、筒状のハウジング（ケーシング）と、前記ハウジング内に設けられた塩素を除去する第１フィルタと、前記ハウジングの上端を遮蔽するヘッドキャップと、前記第１フィルタの上端を遮蔽するとともに前記ヘッドキャップとの間に上部空間を構成し略中央に貫通孔が形成された上板と、を備え、前記上板の周縁と前記ヘッドキャップとの隙間から前記上部空間を経て前記貫通孔に至る流水路をバイパス流路として、前記第１フィルタを通過する水道水の内の所定量が前記バイパス流路を流れるようにした浄水器が開示されている。
【０００７】
特許文献２には、図８に示すように、水道水の流入側配管８が接続されたハウジング（ケーシング）２と、前記ハウジング２内に配設され前記流入側配管８から流入した水道水の全部又は一部の塩素を除去する筒状の塩素除去フィルタ１４と、前記ハウジング２に接続され水道水が流出する流出側配管９と、前記ハウジング２の端部に被装されたヘッドキャップ２７と、一端部が前記ヘッドキャップ６に固定され他端部が前記塩素除去フィルタ１４の中空部１５の一端側に挿入された筒体１８と、前記筒体１８の側面に開口した筒体通水部１９と、前記筒体１８の内側又は外側に配設され手動又は電動で回動又は上下動する弁体２４と、を備え、前記弁体２４は、前記筒体通水部１９と前記中空部１５とを連通するバイパス路１９ａの開閉度を変え、前記バイパス路１９ａの閉時に前記流入側配管８から流入した水道水の全部が前記塩素除去フィルタ１４を通過し、開時に水道水の一部が前記塩素除去フィルタ１４を通過しないで前記バイパス路１９ａを通過して前記塩素除去フィルタ１４を通過した水道水とともに前記流出側配管９から流出するものであることを特徴とする浄水器が開示されている。
【０００８】
さらに、前記特許文献２では前記弁体２４が前記筒体１８の内側を回動可能な筒状に形成され、前記弁体２４の側面に前記筒体通水部１９と連通する弁体通水部２５が形成されている。
【０００９】
また、筒体１８の外側に配設された異物除去フィルタ２６を備えている。
【特許文献１】特許第３３７７７７８号公報
【特許文献２】特許第４２５３３５１号公報
【発明の開示】
【発明が解決しようとする課題】
【００１０】
前記特許文献１では以下のような課題を有する。
（１）上板の下面で第１フィルタの上端を嵌合することにより、第１フィルタをハウジングと間隙を設けてハウジング内に固定している。第１フィルタを固定するための上板は、本浄水器の必須の部品なので、部品点数が多く生産性に欠ける。また、一定期間使用して目詰まりが生じた第１フィルタを新しいものと交換する際には、ハウジングからヘッドキャップを取外し、さらに上板を取外さなければならないため、第１フィルタの交換作業が煩雑で作業性に欠ける。
（２）ハウジングと第１フィルタとの間隙を上昇する水道水の一部は、上縁の外縁とヘッドキャップとの当接部の隙間から上部空間に流入するが、上縁の外縁とヘッドキャップとの当接部の隙間が狭いことから、バイパス流路を流れる水道水の流量は少ない。そのため、浄水器を一定期間使用し第１フィルタに目詰まりが生じると、第１フィルタを通過する水量が減るが、バイパス流路を通過する水量はもともと少ないので使用できる水の量が少なくなり、第１フィルタを新しいものと交換するまでの間、末端の水道機器から取り出すことのできる水量が少なくなる。
（３）第１フィルタに目詰まりが生じてもバイパス流路を通過する水量は少ないので、第１フィルタに大きな動水圧が加わり、第１フィルタが変形したり破損したりするおそれがある。
（４）第１フィルタが目詰まりしても必要な水量を確保し、さらに第１フィルタに加わる動水圧を抑制するため、浄水器の流入側配管と流出側配管の間を接続したバイパス配管と、バイパス配管に配設された開閉弁と、を備えたバイパス器具を設けることが行われている。このバイパス器具は、浄水器の通常使用時には開閉弁を閉止し、フィルタの目詰まり時に開閉弁を開弁することにより、第１フィルタへの通水を回避するものである。しかし、浄水器の外にバイパス器具を配置するための広いスペースを要するとともに、配管や配置工事に係る工数を要し施工性に欠ける。
（５）浄水器のバイパス流路を流れる水道水は、第１フィルタを通過しないで第１フィルタの中空部に流入する。第１フィルタの中空部内には、セラミック粒が収容されたセラミックフィルタが配置されているため、バイパス流路を通過した水道水はセラミックフィルタに流入する。セラミック粒が収容されたセラミックフィルタは、錆やゴミ等の異物を捕捉する能力がないため、水道水に錆やゴミ等の異物が含まれている場合、異物はセラミックフィルタのセラミック粒間を通過し、浄水器の下流の配管に接続された水道機器や給湯機に流出してしまう。特に、エコキュート等の電気給湯機は、錆等の異物が故障の原因になり易い。
【００１１】
これに対して特許文献２は下記のように特許文献１の欠点を補うことができる。
（１）一端部がヘッドキャップに固定され他端部が塩素除去フィルタの中空部の一端側に挿入された筒体を備えているので、筒体で塩素除去フィルタの一端部を支持して、塩素除去フィルタをハウジング内の所定位置に配設することができる。このため、特許文献１に開示された浄水器の上板のような部品が不要になり、部品点数を削減して生産性を高めることができる。また、一定期間使用して目詰まりが生じた塩素除去フィルタを新しいものと交換する際、ハウジングからヘッドキャップを取外すと、ヘッドキャップに固定された筒体も塩素除去フィルタから抜けるため、塩素除去フィルタを直ちにハウジングの外に取り出すことができる。このため、塩素除去フィルタの交換作業が容易で作業性に優れる。
（２）ハウジング内に通水された水道水の一部は、弁体により筒体のバイパス路が開口しているときに中空部へ達する。特許文献１に開示された浄水器の上板のような、ハウジングと塩素除去フィルタとの間隙から筒体通水部に至るまでの水路を狭くする障害がないため、バイパス路の開閉度に応じた水量を中空部へ流入させて残留塩素濃度を調整することができる。さらに、浄水器を一定期間使用し塩素除去フィルタに目詰まりが生じて塩素除去フィルタを通過する水量が減ったときは、塩素除去フィルタを新しいものと交換するまでの間、バイパス路を大きく開口させることにより、末端の水道機器に必要な水量を確保する応急措置が可能となる。このように、残留塩素濃度の調整と目詰まり時の応急措置を、ハウジング内に配設された筒体と弁体の機構一つで容易に行うことができ操作性に優れるとともに、ハウジングの外に応急措置用のバイパス器具を別途設ける必要がないため、バイパス器具の配置スペース及び配置工事に係る工数を削減できる。
塩素除去フィルタは濾材（活性炭等）の塩素除去能力の低下や目詰まりが経時的に生じるため、塩素除去フィルタからの塩素の漏洩量が経時的に増加し、塩素除去フィルタの通水量が減りバイパス路を流れる水量が経時的に増加する。このため、浄水の残留塩素濃度が次第に増加する傾向がみられる。特許文献２の浄水器では、筒体と弁体の機構一つで残留塩素濃度の調整を精度良く行うことができるので、使用者自身やメンテナンスを行う者の調整作業負担が少なく、所望する残留塩素濃度の浄水を常に得ることができる。
（３）塩素除去フィルタに目詰まりが生じたときにバイパス路を大きく開口させることにより、塩素除去フィルタに加わる動水圧を抑制できるため、塩素除去フィルタが変形したり破損したりすることを防止できる。
【００１２】
しかし、特許文献２は下記のような課題を有する。
（１）一端部がヘッドキャップに固定され他端部が塩素除去フィルタの中空部の一端側に挿入された筒体を備えているので、筒体で塩素除去フィルタの一端部を支持しなければ塩素除去フィルタをハウジング内の所定位置に配設することができない。ヘッドキャップに固定された筒体を塩素除去フィルタから抜けるようにしなければ、塩素除去フィルタを直ちにハウジングの外に取り出すことができないので塩素除去フィルタの交換作業が煩雑で作業性に劣る。
（２）バイパス路の開口の調整は塩素除去フィルタをハウジング内の所定位置に配設した後でハウジング外側から行わなければならない。このため、ハウジングを設置する個所、例えば、流し台の下等狭い場所に入り込んでの調整作業が必要となり、作業性が悪い。
【００１３】
本発明の目的は前記従来例の不都合を解消し、水道水の一部をフィルタを通過しないでバイパス流路を流すことで残留塩素濃度の調整を行うのに、ハウジング内に着脱される筒状の塩素除去フィルタ側でこれを行なうことができるので、塩素除去フィルタをセットする前にその設定を簡単に行うことができ、塩素除去フィルタをセットの作業性を向上させることができる浄水装置用フィルタを提供することにある。
【課題を解決するための手段】
【００１４】
前記目的を達成するため請求項１記載の本発明は、水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、塩素除去フィルタは上下端部を閉塞する上蓋板とした下蓋板とを有し、前記上蓋板に排水筒に連通する開口を形成してバイパス路を確保し、この開口に栓体を開閉度合いを可変とするように設けたことを要旨とするものである。
【００１５】
請求項１記載の本発明によれば、バイパス路への開閉度合の調整はハウジング内に着脱される筒状の塩素除去フィルタの上蓋板に係合する栓体で行うことができるので、塩素除去フィルタをハウジングに収容する前にその作業を行うことができる。
【００１６】
請求項２記載の本発明は、開閉度合いを可変とするため開口と栓体とは螺合することを要旨とするものである。
【００１７】
請求項２記載の本発明によれば、筒状の塩素除去フィルタの上蓋板の開口と栓体とは螺合による結合なので、しっかりと結合され、ただ差し込んだ場合と比べて水流で栓体が緩むようなおそれはなく、塩素除去フィルタ設置後も安定した状態を保つことができる。
【００１８】
また、開閉度合いの調整は螺子により無段階に行なうことができ、微調整が簡単に行える。
【００１９】
請求項３記載の本発明は、栓体内部に円柱形の異物除去フィルタを収容することを要旨とするものである。
【００２０】
請求項３記載の本発明によれば、異物除去フィルタにより錆やゴミ等の異物の流入を阻止することができ、しかもこの異物除去フィルタは栓体内部に収容するものなので、異物除去フィルタが設置済の栓体を上蓋板に係合すればよく、巻き付けその他の手間がいらず、簡単かつ迅速に設置できる。
【発明の効果】
【００２１】
以上述べたように本発明の浄水装置用フィルタは、水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、水道水の一部をフィルタを通過しないでバイパス流路を流すことで残留塩素濃度の調整を行うのに、ハウジング内に着脱される筒状の塩素除去フィルタ側でこれを行なうことができるので、塩素除去フィルタをセットする前にその設定を簡単に行うことができ、塩素除去フィルタをセットの作業性を向上させることができるものである。
【発明を実施するための形態】
【００２２】
以下、図面について本発明の実施の形態を詳細に説明する。図１は本発明の浄水装置用フィルタを設置した浄水装置の一部切り欠いた正面図で、前記従来例を示す図８と同一構成要素には同一参照符号を付したものである。
【００２３】
本発明の浄水装置用フィルタを設置した浄水装置１も、水道水の流入側配管８が接続されたハウジング２と、前記ハウジング２内に配設され前記流入側配管８から流入した水道水の全部又は一部の塩素を除去する筒状の塩素除去フィルタ１４と、前記ハウジング２に接続され水道水が流出する流出側配管９とからなる。
【００２４】
ハウジング２は、ステンレス鋼等の合金鋼、めっき鋼板、ポリアセタール製、ポリカーボネート製、ＡＢＳ製等の合成樹脂等で、断面が円形、楕円形、多角形等の筒状に形成されたものが用いられ、本体であるハウジング下部２ａに対してヘッドキャップとしてのハウジング上部２ｂが嵌り、締め付けバンド２０で締結される。図中２１はエアー抜きノズルである。
【００２５】
塩素除去フィルタ１４はカートリッジタイプのものであり、排水筒５となる中空部を有する柱状体で、濾材は塩素除去能力を有する抗菌性活性炭６により構成され、その外周には不織布が巻回され、また、内部では抗菌性、除菌性を持たせた機能性セラミック７を排水筒５の外周部において抗菌性活性炭６に積層させている。
【００２６】
また、塩素除去フィルタ１４は堅牢にするため、上下端部に通水性を有さない硬質の上蓋板３と下蓋板４とを被着して閉塞する。塩素除去フィルタ１４の外周面と中空部との間を水道水が流れる間に濾過されるため、濾過面積が広いからである。上蓋板３と下蓋板４は合成樹脂製や金属製等で形成されたものを用いることができる。
【００２７】
図２〜図４に示すように上蓋板３には前記排水筒５に連通する円形の筒状開口１０を下方に突出するように形成して排水筒５へのバイパス路を確保し、この筒状開口１０に栓体１２をその開閉度合いを可変とするように嵌める。図４に示すように、上蓋板３は合成樹脂製の場合は裏側面に筒状開口１０と同心円状の補強リブ３ａを形成している。
【００２８】
筒状開口１０はその内周面を螺子１１として形成し、また、前記栓体１２は図５〜７にも示すように円盤状の天板１２ａを摘みとしてその下側に周壁の対向する一部を欠如させたて開口１２ｃを確保した筒体１２ｂ（円弧片）突設し、この筒体１２ｂの外周面に前記螺子１１に螺合する螺子１３を形成する。
【００２９】
摘みである天板１２ａの外周面に縦方向にギザギザ１２ｅを設けて回す際の滑り止めとしている。
【００３０】
図中１６は筒体１２ｂの先端に嵌める蓋体で、銀杏の葉状に切欠いた透孔１６ａを形成し、筒体１２ｂの先端に形成した係止孔１２ｄに差し込む係止片１６ｂを設けた略円板状の板である。
【００３１】
図中１７は円柱形の異物除去フィルタで、栓体１２の内部に収容され、筒体１２ｂに蓋体１６を嵌めてこれで異物除去フィルタ１７が栓体１２から落下しないようにしている。異物除去フィルタ１７の側部に前記開口１２ｃが位置する。
【００３２】
次に使用法について説明する。塩素除去フィルタ１４はこれをハウジング２にセットする前に、上蓋板３において筒状開口１０に嵌める栓体１２によりその開閉度合いを設定する。
【００３３】
この開閉度合いを設定は栓体１２の開口１２ｃが筒状開口１０の上方にどの程度突出するかで決定され、これは摘みである天板１２ａを回すことで筒状開口１０に対して栓体１２の螺子込程度で無段階に定めることができる。
【００３４】
その後、塩素除去フィルタ１４をこれをハウジング２内にセットするが、流出側配管９がハウジング２内に入り延設されてその先端が螺子継手２２となっているので、この部分に下蓋板４に形成した継手部４ａをねじ込むことで塩素除去フィルタ１４は流出側配管９で支承されハウジング２内に収まるとともに、塩素除去フィルタ１４の排水筒５の下端は流出側配管９と連通する。
【００３５】
以上で塩素除去フィルタ１４のセットが完了し、ハウジング２内に流入する水道水はハウジング２内の間隙やヘッドキャップであるハウジング上部の内側に溜まった空気をエアー抜きノズル２１から追い出しながら間隙を上昇する。ハウジング２内の空気が追い出されたら、空気をエアー抜きノズル２１を閉止する。
【００３６】
水道水は間隙から塩素除去フィルタ１４に浸入し、排水筒５に流入する間に塩素がほぼ１００％除去される。排水筒５に流入した塩素をほとんど含まない水道水は、流出側配管９から流出する。
【００３７】
前記間隙を上昇した水道水の一部は、栓体１２による筒状開口１０の排水筒５へのバイパス路を通過して、塩素除去フィルタ１４を通過せずに排水筒５に流入する。
【００３８】
この結果、栓体１２による筒状開口１０の開口度に応じた残留塩素濃度の水道水を流出側配管９から流出させることができ、流出側配管９から流出する水道水の残留塩素濃度を一定量確保することになる。
【００３９】
浄水装置１を一定期間使用して塩素除去フィルタ１４に目詰まりが生じ、流出側配管９から流出する水量が減ったときは、塩素除去フィルタ１４を新しいものと交換することにより初期の水量に戻すことができる。しかし、新しい塩素除去フィルタ１４を手元に用意していなかった等により直ちに新しいものと交換できない場合であって、豊富な水量が必要な場合は栓体１２を目一杯開け、排水筒５を通過できる水量を最大に設定する応急措置を行う。これにより、塩素除去フィルタ１４を通過せずに排水筒５に流入する水量が増えるため、流出側配管９からの水道水の流出量を増やすことができる。
【図面の簡単な説明】
【００４０】
【図１】本発明の浄水装置用フィルタを設置した浄水装置の一部切り欠いた正面図である。
【図２】本発明の浄水装置用フィルタの上蓋板部分の側面図である。
【図３】本発明の浄水装置用フィルタの上蓋板の背面図である。
【図４】本発明の浄水装置用フィルタの上蓋板の平面図である。
【図５】栓体の説明図である。
【図６】栓体に嵌める蓋体の説明図である。
【図７】蓋体を嵌めた栓体の説明図である。
【図８】従来例を示す縦断側面図である。
【符号の説明】
【００４１】
１  浄水装置
２  ハウジング
２ａ  ハウジング下部
２ｂ  ハウジング上部
３  上蓋板
３ａ  補強リブ
４  下蓋板
５  排水筒
６  抗菌性活性炭
７  機能性セラミック
８  流入側配管
９  流出側配管
１０  筒状開口
１１  螺子
１２  栓体
１２ａ  天板
１２ｂ  筒体
１２ｃ  開口
１２ｄ  係止孔
１２ｅ  ギザギザ
１３  螺子
１４  塩素除去フィルタ
１５  中空部
１６  蓋体
１６ａ  透孔
１６ｂ  係止片
１７  異物除去フィルタ
１８  筒体
１９  筒体通水部
１９ａ  バイパス路
２０  締め付けバンド
２１  エアー抜きノズル
２４  弁体
２５  弁体通水部
２６  異物除去フィルタ
２７  ヘッドキャップ
【図１】
2017124360.tif 000003
【図２】
2017124360.tif 000004
【図３】
2017124360.tif 000005
【図４】
2017124360.tif 000006
【図５】
2017124360.tif 000007
【図６】
2017124360.tif 000008
【図７】
2017124360.tif 000009
【図８】
2017124360.tif 000010
【手続補正書】
【提出日】平成28年12月9日(2016.12.9)
【手続補正１】
【補正対象書類名】明細書
【補正対象項目名】全文
【補正方法】変更
【補正の内容】
【発明の詳細な説明】
【技術分野】
【０００１】
本発明は、給水栓や水道配管等に取り付けて水を濾過する浄水装置（浄水器）に関し、特に、集合住宅や戸建住宅、事業所、学校等の分岐配管の上流やメータボックス、アンダーシンク等の水道配管に取り付け、水をまとめて濾過するために用いられる浄水装置に使用する浄水装置用フィルタに関するものである。
【背景技術】
【０００２】
近年、マンション等の集合住宅や戸建住宅、事業所、学校、幼稚園、動物飼育施設等において、浄水装置は浄水施設からの水道本管と末端の水道機器への分岐配管との間に取り付けて、使用する水をまとめて濾過する手段を採用するケースが増えている。
【０００３】
浄水装置を流し台の給水栓や風呂場用給湯器の注湯口等の末端の水道機器毎に設置しなくて済むため経済的であり、さらに水道機器周辺の空間を有効利用できるからである。
【０００４】
しかし、この場合水道水に含まれる塩素を１００％除去してしまうと、蛇口から出る水道水は０．１ｐｐｍ以上の塩素濃度でなければならないという水道法による基準を遵守できないという問題を有している。
【０００５】
また、水道機器が長期間使用されない場合に、塩素をほとんど含まない水道水が分岐配管内に長時間滞留し、腐食や雑菌の発生等のおそれがあるという問題もある。
【０００６】
下記特許文献１、２は浄水器を通過した水道水の含有塩素量を確保することを目的として提案されたもので、図示は省略するが、特許文献１には、筒状のハウジング（ケーシング）と、前記ハウジング内に設けられた塩素を除去する第１フィルタと、前記ハウジングの上端を遮蔽するヘッドキャップと、前記第１フィルタの上端を遮蔽するとともに前記ヘッドキャップとの間に上部空間を構成し略中央に貫通孔が形成された上板と、を備え、前記上板の周縁と前記ヘッドキャップとの隙間から前記上部空間を経て前記貫通孔に至る流水路をバイパス流路として、前記第１フィルタを通過する水道水の内の所定量が前記バイパス流路を流れるようにした浄水器が開示されている。
【０００７】
特許文献２には、図８に示すように、水道水の流入側配管８が接続されたハウジング（ケーシング）２と、前記ハウジング２内に配設され前記流入側配管８から流入した水道水の全部又は一部の塩素を除去する筒状の塩素除去フィルタ１４と、前記ハウジング２に接続され水道水が流出する流出側配管９と、前記ハウジング２の端部に被装されたヘッドキャップ２７と、一端部が前記ヘッドキャップ６に固定され他端部が前記塩素除去フィルタ１４の中空部１５の一端側に挿入された筒体１８と、前記筒体１８の側面に開口した筒体通水部１９と、前記筒体１８の内側又は外側に配設され手動又は電動で回動又は上下動する弁体２４と、を備え、前記弁体２４は、前記筒体通水部１９と前記中空部１５とを連通するバイパス路１９ａの開閉度を変え、前記バイパス路１９ａの閉時に前記流入側配管８から流入した水道水の全部が前記塩素除去フィルタ１４を通過し、開時に水道水の一部が前記塩素除去フィルタ１４を通過しないで前記バイパス路１９ａを通過して前記塩素除去フィルタ１４を通過した水道水とともに前記流出側配管９から流出するものであることを特徴とする浄水器が開示されている。
【０００８】
さらに、前記特許文献２では前記弁体２４が前記筒体１８の内側を回動可能な筒状に形成され、前記弁体２４の側面に前記筒体通水部１９と連通する弁体通水部２５が形成されている。
【０００９】
また、筒体１８の外側に配設された異物除去フィルタ２６を備えている。
【特許文献１】特許第３３７７７７８号公報
【特許文献２】特許第４２５３３５１号公報
【発明の開示】
【発明が解決しようとする課題】
【００１０】
前記特許文献１では以下のような課題を有する。
（１）上板の下面で第１フィルタの上端を嵌合することにより、第１フィルタをハウジングと間隙を設けてハウジング内に固定している。第１フィルタを固定するための上板は、本浄水器の必須の部品なので、部品点数が多く生産性に欠ける。また、一定期間使用して目詰まりが生じた第１フィルタを新しいものと交換する際には、ハウジングからヘッドキャップを取外し、さらに上板を取外さなければならないため、第１フィルタの交換作業が煩雑で作業性に欠ける。
（２）ハウジングと第１フィルタとの間隙を上昇する水道水の一部は、上縁の外縁とヘッドキャップとの当接部の隙間から上部空間に流入するが、上縁の外縁とヘッドキャップとの当接部の隙間が狭いことから、バイパス流路を流れる水道水の流量は少ない。そのため、浄水器を一定期間使用し第１フィルタに目詰まりが生じると、第１フィルタを通過する水量が減るが、バイパス流路を通過する水量はもともと少ないので使用できる水の量が少なくなり、第１フィルタを新しいものと交換するまでの間、末端の水道機器から取り出すことのできる水量が少なくなる。
（３）第１フィルタに目詰まりが生じてもバイパス流路を通過する水量は少ないので、第１フィルタに大きな動水圧が加わり、第１フィルタが変形したり破損したりするおそれがある。
（４）第１フィルタが目詰まりしても必要な水量を確保し、さらに第１フィルタに加わる動水圧を抑制するため、浄水器の流入側配管と流出側配管の間を接続したバイパス配管と、バイパス配管に配設された開閉弁と、を備えたバイパス器具を設けることが行われている。このバイパス器具は、浄水器の通常使用時には開閉弁を閉止し、フィルタの目詰まり時に開閉弁を開弁することにより、第１フィルタへの通水を回避するものである。しかし、浄水器の外にバイパス器具を配置するための広いスペースを要するとともに、配管や配置工事に係る工数を要し施工性に欠ける。
（５）浄水器のバイパス流路を流れる水道水は、第１フィルタを通過しないで第１フィルタの中空部に流入する。第１フィルタの中空部内には、セラミック粒が収容されたセラミックフィルタが配置されているため、バイパス流路を通過した水道水はセラミックフィルタに流入する。セラミック粒が収容されたセラミックフィルタは、錆やゴミ等の異物を捕捉する能力がないため、水道水に錆やゴミ等の異物が含まれている場合、異物はセラミックフィルタのセラミック粒間を通過し、浄水器の下流の配管に接続された水道機器や給湯機に流出してしまう。特に、エコキュート等の電気給湯機は、錆等の異物が故障の原因になり易い。
【００１１】
これに対して特許文献２は下記のように特許文献１の欠点を補うことができる。
（１）一端部がヘッドキャップに固定され他端部が塩素除去フィルタの中空部の一端側に挿入された筒体を備えているので、筒体で塩素除去フィルタの一端部を支持して、塩素除去フィルタをハウジング内の所定位置に配設することができる。このため、特許文献１に開示された浄水器の上板のような部品が不要になり、部品点数を削減して生産性を高めることができる。また、一定期間使用して目詰まりが生じた塩素除去フィルタを新しいものと交換する際、ハウジングからヘッドキャップを取外すと、ヘッドキャップに固定された筒体も塩素除去フィルタから抜けるため、塩素除去フィルタを直ちにハウジングの外に取り出すことができる。このため、塩素除去フィルタの交換作業が容易で作業性に優れる。
（２）ハウジング内に通水された水道水の一部は、弁体により筒体のバイパス路が開口しているときに中空部へ達する。特許文献１に開示された浄水器の上板のような、ハウジングと塩素除去フィルタとの間隙から筒体通水部に至るまでの水路を狭くする障害がないため、バイパス路の開閉度に応じた水量を中空部へ流入させて残留塩素濃度を調整することができる。さらに、浄水器を一定期間使用し塩素除去フィルタに目詰まりが生じて塩素除去フィルタを通過する水量が減ったときは、塩素除去フィルタを新しいものと交換するまでの間、バイパス路を大きく開口させることにより、末端の水道機器に必要な水量を確保する応急措置が可能となる。このように、残留塩素濃度の調整と目詰まり時の応急措置を、ハウジング内に配設された筒体と弁体の機構一つで容易に行うことができ操作性に優れるとともに、ハウジングの外に応急措置用のバイパス器具を別途設ける必要がないため、バイパス器具の配置スペース及び配置工事に係る工数を削減できる。
塩素除去フィルタは濾材（活性炭等）の塩素除去能力の低下や目詰まりが経時的に生じるため、塩素除去フィルタからの塩素の漏洩量が経時的に増加し、塩素除去フィルタの通水量が減りバイパス路を流れる水量が経時的に増加する。このため、浄水の残留塩素濃度が次第に増加する傾向がみられる。特許文献２の浄水器では、筒体と弁体の機構一つで残留塩素濃度の調整を精度良く行うことができるので、使用者自身やメンテナンスを行う者の調整作業負担が少なく、所望する残留塩素濃度の浄水を常に得ることができる。
（３）塩素除去フィルタに目詰まりが生じたときにバイパス路を大きく開口させることにより、塩素除去フィルタに加わる動水圧を抑制できるため、塩素除去フィルタが変形したり破損したりすることを防止できる。
【００１２】
しかし、特許文献２は下記のような課題を有する。
（１）一端部がヘッドキャップに固定され他端部が塩素除去フィルタの中空部の一端側に挿入された筒体を備えているので、筒体で塩素除去フィルタの一端部を支持しなければ塩素除去フィルタをハウジング内の所定位置に配設することができない。ヘッドキャップに固定された筒体を塩素除去フィルタから抜けるようにしなければ、塩素除去フィルタを直ちにハウジングの外に取り出すことができないので塩素除去フィルタの交換作業が煩雑で作業性に劣る。
（２）バイパス路の開口の調整は塩素除去フィルタをハウジング内の所定位置に配設した後でハウジング外側から行わなければならない。このため、ハウジングを設置する個所、例えば、流し台の下等狭い場所に入り込んでの調整作業が必要となり、作業性が悪い。
【００１３】
本発明の目的は前記従来例の不都合を解消し、水道水の一部をフィルタを通過しないでバイパス流路を流すことで残留塩素濃度の調整を行うのに、ハウジング内に着脱される筒状の塩素除去フィルタ側でこれを行なうことができるので、塩素除去フィルタをセットする前にその設定を簡単に行うことができ、塩素除去フィルタをセットの作業性を向上させることができる浄水装置用フィルタを提供することにある。
【課題を解決するための手段】
【００１４】
前記目的を達成するため請求項１記載の本発明は、水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、塩素除去フィルタは上下端部を閉塞する上蓋板と下蓋板とを有し、上蓋板には前記排水筒に連通する円形の筒状開口を下方に突出するように形成して排水筒へのバイパス路を確保し、この筒状開口に栓体をその開閉度合いを可変とするように嵌め、前記筒状開口はその内周面を螺子として形成し、また、前記栓体円盤状の天板を摘みとしてその下側に周壁の対向する一部を欠如させたて開口を確保した筒体を突設し、この筒体の外周面に前記螺子に螺合する螺子を形成したことを要旨とするものである。
【００１５】
請求項１記載の本発明によれば、バイパス路への開閉度合の調整はハウジング内に着脱される筒状の塩素除去フィルタの上蓋板に係合する栓体で行うことができるので、塩素除去フィルタをハウジングに収容する前にその作業を行うことができる。
【００１６】
また、筒状の塩素除去フィルタの上蓋板の開口と栓体とは螺合による結合なので、しっかりと結合され、ただ差し込んだ場合と比べて水流で栓体が緩むようなおそれはなく、塩素除去フィルタ設置後も安定した状態を保つことができる。
【００１７】
さらに、開閉度合いの調整は螺子により無段階に行なうことができ、微調整が簡単に行える。
【００１８】
請求項２記載の本発明は、栓体内部に円柱形の異物除去フィルタを収容することを要旨とするものである。
【００１９】
請求項２記載の本発明によれば、異物除去フィルタにより錆やゴミ等の異物の流入を阻止することができ、しかもこの異物除去フィルタは栓体内部に収容するものなので、異物除去フィルタが設置済の栓体を上蓋板に係合すればよく、巻き付けその他の手間がいらず、簡単かつ迅速に設置できる。
【発明の効果】
【００２０】
以上述べたように本発明の浄水装置用フィルタは、水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、水道水の一部をフィルタを通過しないでバイパス流路を流すことで残留塩素濃度の調整を行うのに、ハウジング内に着脱される筒状の塩素除去フィルタ側でこれを行なうことができるので、塩素除去フィルタをセットする前にその設定を簡単に行うことができ、塩素除去フィルタをセットの作業性を向上させることができるものである。
【発明を実施するための形態】
【００２１】
以下、図面について本発明の実施の形態を詳細に説明する。図１は本発明の浄水装置用フィルタを設置した浄水装置の一部切り欠いた正面図で、前記従来例を示す図８と同一構成要素には同一参照符号を付したものである。
【００２２】
本発明の浄水装置用フィルタを設置した浄水装置１も、水道水の流入側配管８が接続されたハウジング２と、前記ハウジング２内に配設され前記流入側配管８から流入した水道水の全部又は一部の塩素を除去する筒状の塩素除去フィルタ１４と、前記ハウジング２に接続され水道水が流出する流出側配管９とからなる。
【００２３】
ハウジング２は、ステンレス鋼等の合金鋼、めっき鋼板、ポリアセタール製、ポリカーボネート製、ＡＢＳ製等の合成樹脂等で、断面が円形、楕円形、多角形等の筒状に形成されたものが用いられ、本体であるハウジング下部２ａに対してヘッドキャップとしてのハウジング上部２ｂが嵌り、締め付けバンド２０で締結される。図中２１はエアー抜きノズルである。
【００２４】
塩素除去フィルタ１４はカートリッジタイプのものであり、排水筒５となる中空部を有する柱状体で、濾材は塩素除去能力を有する抗菌性活性炭６により構成され、その外周には不織布が巻回され、また、内部では抗菌性、除菌性を持たせた機能性セラミック７を排水筒５の外周部において抗菌性活性炭６に積層させている。
【００２５】
また、塩素除去フィルタ１４は堅牢にするため、上下端部に通水性を有さない硬質の上蓋板３と下蓋板４とを被着して閉塞する。塩素除去フィルタ１４の外周面と中空部との間を水道水が流れる間に濾過されるため、濾過面積が広いからである。上蓋板３と下蓋板４は合成樹脂製や金属製等で形成されたものを用いることができる。
【００２６】
図２〜図４に示すように上蓋板３には前記排水筒５に連通する円形の筒状開口１０を下方に突出するように形成して排水筒５へのバイパス路を確保し、この筒状開口１０に栓体１２をその開閉度合いを可変とするように嵌める。図４に示すように、上蓋板３は合成樹脂製の場合は裏側面に筒状開口１０と同心円状の補強リブ３ａを形成している。
【００２７】
筒状開口１０はその内周面を螺子１１として形成し、また、前記栓体１２は図５〜７にも示すように円盤状の天板１２ａを摘みとしてその下側に周壁の対向する一部を欠如させたて開口１２ｃを確保した筒体１２ｂ（円弧片）突設し、この筒体１２ｂの外周面に前記螺子１１に螺合する螺子１３を形成する。
【００２８】
摘みである天板１２ａの外周面に縦方向にギザギザ１２ｅを設けて回す際の滑り止めとしている。
【００２９】
図中１６は筒体１２ｂの先端に嵌める蓋体で、銀杏の葉状に切欠いた透孔１６ａを形成し、筒体１２ｂの先端に形成した係止孔１２ｄに差し込む係止片１６ｂを設けた略円板状の板である。
【００３０】
図中１７は円柱形の異物除去フィルタで、栓体１２の内部に収容され、筒体１２ｂに蓋体１６を嵌めてこれで異物除去フィルタ１７が栓体１２から落下しないようにしている。異物除去フィルタ１７の側部に前記開口１２ｃが位置する。
【００３１】
次に使用法について説明する。塩素除去フィルタ１４はこれをハウジング２にセットする前に、上蓋板３において筒状開口１０に嵌める栓体１２によりその開閉度合いを設定する。
【００３２】
この開閉度合いを設定は栓体１２の開口１２ｃが筒状開口１０の上方にどの程度突出するかで決定され、これは摘みである天板１２ａを回すことで筒状開口１０に対して栓体１２の螺子込程度で無段階に定めることができる。
【００３３】
その後、塩素除去フィルタ１４をこれをハウジング２内にセットするが、流出側配管９がハウジング２内に入り延設されてその先端が螺子継手２２となっているので、この部分に下蓋板４に形成した継手部４ａをねじ込むことで塩素除去フィルタ１４は流出側配管９で支承されハウジング２内に収まるとともに、塩素除去フィルタ１４の排水筒５の下端は流出側配管９と連通する。
【００３４】
以上で塩素除去フィルタ１４のセットが完了し、ハウジング２内に流入する水道水はハウジング２内の間隙やヘッドキャップであるハウジング上部の内側に溜まった空気をエアー抜きノズル２１から追い出しながら間隙を上昇する。ハウジング２内の空気が追い出されたら、空気をエアー抜きノズル２１を閉止する。
【００３５】
水道水は間隙から塩素除去フィルタ１４に浸入し、排水筒５に流入する間に塩素がほぼ１００％除去される。排水筒５に流入した塩素をほとんど含まない水道水は、流出側配管９から流出する。
【００３６】
前記間隙を上昇した水道水の一部は、栓体１２による筒状開口１０の排水筒５へのバイパス路を通過して、塩素除去フィルタ１４を通過せずに排水筒５に流入する。
【００３７】
この結果、栓体１２による筒状開口１０の開口度に応じた残留塩素濃度の水道水を流出側配管９から流出させることができ、流出側配管９から流出する水道水の残留塩素濃度を一定量確保することになる。
【００３８】
浄水装置１を一定期間使用して塩素除去フィルタ１４に目詰まりが生じ、流出側配管９から流出する水量が減ったときは、塩素除去フィルタ１４を新しいものと交換することにより初期の水量に戻すことができる。しかし、新しい塩素除去フィルタ１４を手元に用意していなかった等により直ちに新しいものと交換できない場合であって、豊富な水量が必要な場合は栓体１２を目一杯開け、排水筒５を通過できる水量を最大に設定する応急措置を行う。これにより、塩素除去フィルタ１４を通過せずに排水筒５に流入する水量が増えるため、流出側配管９からの水道水の流出量を増やすことができる。
【図面の簡単な説明】
【００３９】
【図１】本発明の浄水装置用フィルタを設置した浄水装置の一部切り欠いた正面図である。
【図２】本発明の浄水装置用フィルタの上蓋板部分の側面図である。
【図３】本発明の浄水装置用フィルタの上蓋板の背面図である。
【図４】本発明の浄水装置用フィルタの上蓋板の平面図である。
【図５】栓体の説明図である。
【図６】栓体に嵌める蓋体の説明図である。
【図７】蓋体を嵌めた栓体の説明図である。
【図８】従来例を示す縦断側面図である。
【符号の説明】
【００４０】
１  浄水装置
２  ハウジング
２ａ  ハウジング下部
２ｂ  ハウジング上部
３  上蓋板
３ａ  補強リブ
４  下蓋板
５  排水筒
６  抗菌性活性炭
７  機能性セラミック
８  流入側配管
９  流出側配管
１０  筒状開口
１１  螺子
１２  栓体
１２ａ  天板
１２ｂ  筒体
１２ｃ  開口
１２ｄ  係止孔
１２ｅ  ギザギザ
１３  螺子
１４  塩素除去フィルタ
１５  中空部
１６  蓋体
１６ａ  透孔
１６ｂ  係止片
１７  異物除去フィルタ
１８  筒体
１９  筒体通水部
１９ａ  バイパス路
２０  締め付けバンド
２１  エアー抜きノズル
２４  弁体
２５  弁体通水部
２６  異物除去フィルタ
２７  ヘッドキャップ
【手続補正２】
【補正対象書類名】特許請求の範囲
【補正対象項目名】全文
【補正方法】変更
【補正の内容】
【特許請求の範囲】
【請求項１】
水道水の流入側配管が接続されたハウジングと、前記ハウジング内に着脱され、中空部が排水筒となって前記流入側配管から流入した水道水の全部又は一部の塩素を除去する筒状の塩素除去フィルタと、前記ハウジング内に入り延設されて前記排水筒下端に接続されて水道水が流出する流出側配管とからなる浄水装置において、塩素除去フィルタは上下端部を閉塞する上蓋板と下蓋板とを有し、上蓋板には前記排水筒に連通する円形の筒状開口を下方に突出するように形成して排水筒へのバイパス路を確保し、この筒状開口に栓体をその開閉度合いを可変とするように嵌め、前記筒状開口はその内周面を螺子として形成し、また、前記栓体円盤状の天板を摘みとしてその下側に周壁の対向する一部を欠如させたて開口を確保した筒体を突設し、この筒体の外周面に前記螺子に螺合する螺子を形成したことを特徴とする浄水装置用フィルタ。
【請求項２】
栓体内部に円柱形の異物除去フィルタを収容する請求項１記載の浄水装置用フィルタ。